(57)【要約】【課題】ネットを挟んで行われる競技において、その選手の迫力ある映像を撮影することができる支持装置及び撮影装置を提供すること。【解決手段】競技用ネットの帯内にカメラユニットを支持する支持装置であって、競技用ネットの帯の上側の綱紐を係止する係止部と、カメラユニットを保持する保持部とを有する支持装置である。【選択図】図１
2019124863.tif 000002
【特許請求の範囲】
【請求項１】
競技用ネットの帯内にカメラユニットを支持する支持装置であって、
競技用ネットの帯の上側の綱紐を係止する係止部と、
カメラユニットを保持する保持部と
を有する支持装置。
【請求項２】
前記カメラユニットを保持する保持部が設けられ、溝形状の上部アングルと、
前記カメラユニットを保持する保持部が設けられ、溝形状の下部アングルと、
前記上部アングル及び前記下部アングルの溝に挿嵌可能の厚さを持ち、前記競技用ネットの帯の上側の綱紐を係止する係止部が設けられた第１の支持板と、
前記上部アングル及び前記下部アングルの溝に挿嵌可能の厚さを持ち、前記競技用ネットの帯の上側の綱紐を係止する係止部が設けられた第２の支持板と
を備え、
前記上部アングルと前記下部アングルの溝に、前記第１の支持板及び前記第２の支持板を挿嵌し、前記カメラユニットを、前記上部アングルの保持部と前記下部アングルの保持部とで挟持する
請求項１に記載の支持装置。
【請求項３】
前記係止部は、前記第１の支持板及び前記第２の支持板に設けられた係止溝である
請求項２に記載の支持装置。
【請求項４】
前記競技用ネットの帯の上側の綱紐の縫い目の長さに応じて、前記支持装置における前記競技用ネットの帯の長手方向の長さを調整する調整機構が設けられている
請求項１から請求項３のいずれかに記載の支持装置。
【請求項５】
前記上部アングルには、前記第１の支持板及び前記第２の支持板と連結するための連結孔が設けられ、
前記下部アングルには、前記第１の支持板及び前記第２の支持板と連結するための連結孔が設けられ、
前記第１の支持板には、前記上部アングル及び前記下部アングルの連結孔に対応する位置に溝孔が設けられ、
前記第２の支持板には、前記上部アングル及び前記下部アングルの連結孔に対応する位置に溝孔が設けられ、
前記上部アングル及び前記下部アングルの連結孔から挿入された固定部材を、前記第１の支持板の溝孔の希望位置に挿入して固定し、
前記上部アングル及び前記下部アングルの連結孔から挿入された固定部材を、前記第２の支持板の溝孔の希望位置に挿入して固定する
請求項２から請求項４のいずれかに記載の支持装置。
【請求項６】
競技用ネットの帯内に装着される撮影装置であって、
カメラユニットと、
競技用ネットの帯の上側の綱紐を係止する係止部と、
前記カメラユニットを保持する保持部と
を有する撮影装置。
【請求項７】
競技用ネットの帯内に装着される撮影装置であって、
カメラユニットと、
前記カメラユニットを保持する保持部が設けられ、溝形状の上部アングルと、
前記カメラユニットを保持する保持部が設けられ、溝形状の下部アングルと、
前記上部アングル及び前記下部アングルの溝に挿嵌可能の厚さを持ち、前記競技用ネットの帯の上側の綱紐を係止する係止部が設けられた第１の支持板と、
前記上部アングル及び前記下部アングルの溝に挿嵌可能の厚さを持ち、前記競技用ネットの帯の上側の綱紐を係止する係止部が設けられた第２の支持板と
を備え、
前記上部アングルと前記下部アングルの溝に、前記第１の支持板及び前記第２の支持板を挿嵌し、前記カメラユニットを、前記上部アングルの保持部と前記下部アングルの保持部とで挟持する
撮影装置。
【請求項８】
前記上部アングルには、前記第１の支持板及び前記第２の支持板と連結するための連結孔が設けられ、
前記下部アングルには、前記第１の支持板及び前記第２の支持板と連結するための連結孔が設けられ、
前記第１の支持板には、前記上部アングル及び前記下部アングルの連結孔に対応する位置に溝孔が設けられ、
前記第２の支持板には、前記上部アングル及び前記下部アングルの連結孔に対応する位置に溝孔が設けられ、
前記上部アングル及び前記下部アングルの連結孔から挿入された固定部材を、前記第１の支持板の溝孔の希望位置に挿入して固定し、
前記上部アングル及び前記下部アングルの連結孔から挿入された固定部材を、前記第２の支持板の溝孔の希望位置に挿入して固定する
請求項７に記載の撮影装置。
【発明の詳細な説明】
【技術分野】
【０００１】
本発明は支持装置及び撮影装置に関し、特に、競技用ネットの帯内に装着される支持する支持装置及び撮影装置に関する。
【背景技術】
【０００２】
各種競技の撮影が行われているが、競技を撮影するカメラは、競技が行われるコートやフィールドの外に設置されるのが、通常である。しかしながら、コートやフィールドの外に設置されたカメラから競技をしている選手を撮影する場合、競技をしている選手の迫力ある映像を撮影することは、難しかった。そこで、野球等の競技では、審判にカメラを装着して、審判側から見た選手やボール等を撮影することが試みられている。
【発明の概要】
【発明が解決しようとする課題】
【０００３】
しかし、カメラを審判に装着するため、カメラの撮影方向など、撮影者の意図をかならずしも反映するものではなかった。
【０００４】
また、バレーボール、ビーチバレー、テニス、バトミントン、卓球等のネットを挟んで行われる競技では、カメラを審判に装着しても、審判はフィールドの外にいるため、カメラをコートやフィールドの外に設置する場合と顕著な相違がない場合が多い。
【０００５】
そこで、本発明が解決しようとする課題は、ネットを挟んで行われる競技において、その選手の迫力ある映像を撮影することができる支持装置及び撮影装置を提供することにある。
【課題を解決するための手段】
【０００６】
本発明の一態様は、競技用ネットの帯内にカメラユニットを支持する支持装置であって、競技用ネットの帯の上側の綱紐を係止する係止部と、カメラユニットを保持する保持部とを有する支持装置である。
【０００７】
本発明の一態様は、競技用ネットの帯内に装着される撮影装置であって、カメラユニットと、競技用ネットの帯の上側の綱紐を係止する係止部と、前記カメラユニットを保持する保持部とを有する撮影装置である。
【０００８】
本発明の一態様は、競技用ネットの帯内に装着される撮影装置であって、カメラユニットと、前記カメラユニットを保持する保持部が設けられ、溝形状の上部アングルと、前記カメラユニットを保持する保持部が設けられ、溝形状の下部アングルと、前記上部アングル及び前記下部アングルの溝に挿嵌可能の厚さを持ち、前記競技用ネットの帯の上側の綱紐を係止する係止部が設けられた第１の支持板と、前記上部アングル及び前記下部アングルの溝に挿嵌可能の厚さを持ち、前記競技用ネットの帯の上側の綱紐を係止する係止部が設けられた第２の支持板とを備え、前記上部アングルと前記下部アングルの溝に、前記第１の支持板及び前記第２の支持板を挿嵌し、前記カメラユニットを、前記上部アングルの保持部と前記下部アングルの保持部とで挟持する撮影装置である。
【発明の効果】
【０００９】
本発明の支持装置及び撮影装置によれば、ネットを挟んで行われる競技において、その選手の迫力ある映像を撮影することができる。
【図面の簡単な説明】
【００１０】
【図１】図１は支持装置１の構成を説明するための図である。
【図２】図２は上部アングル１１と、下部アングル１２と、支持板１３，１４とから構成された支持装置１を示す図である。
【図３】図３はカメラユニット２の概略斜視図である。
【図４】図４はカメラユニット２の断面図である。
【図５】図５は支持装置１にカメラユニット２が装着された撮影装置３を示した図である。
【図６】図６は撮影装置３の斜視図である。
【図７】図７は撮影装置３が装着されるネット４の概略を示した図である。
【図８】図８はネット４の白帯４１を拡大した図である。
【図９】図９は白帯４１内に撮影装置３を装着する装着方法を説明するための図である。
【図１０】図１０は白帯４１内に撮影装置３を装着する装着方法を説明するための図である。
【図１１】図１１は支持装置１のアジャスタ機構を説明するための図である。
【図１２】図１２は支持装置１を説明するための図である。
【発明を実施するための形態】
【００１１】
＜第１の実施の形態＞
以下、図面を参照して、本発明の第１の実施の形態における支持装置及びそれを用いた撮影装置を説明する。
【００１２】
バレーボール、ビーチバレー、テニス、バトミントン、卓球等のネットを挟んで行われる競技では、ネットにカメラを装着すれば、選手の姿を間近で正面から捉えられ、迫力のある映像を撮影することができると思われる。しかし、ネットの外側に装着すると、選手のじゃまになり、また、競技の規則違反となる可能性もある。そこで、カメラをネットの帯内に装着することが考えられる。
【００１３】
しかし、カメラ等をネットの帯内に装着する場合、ネットにボールが当たるなどの外的要因でネットが揺れても安定した映像を撮影でき、トラブルの際に容易にカメラ等を交換できるような撮影機材が必要である。
【００１４】
そこで、本発明の第１の実施の形態における支持装置及びそれを用いた撮影装置は、上記課題を解決するものである。
【００１５】
まず、第１の実施の形態の概略を説明すると、第１の実施の形態における撮影装置３は、支持装置１とカメラユニット２とから構成される。撮影装置３は、ネット４の白帯内に装着される。ネット４は、バレーボール、ビーチバレー、テニス、バトミントン、卓球等のネットを挟んで行われる競技の競技用ネットである。これにより、ネット側から競技している選手の映像を撮影することが出来る。
【００１６】
次に、支持装置１について説明する。図１は、支持装置１の構成を説明するための図である。支持装置１は、上部アングル１１と、下部アングル１２と、支持板１３，１４とから構成される。
【００１７】
上部アングル１１及び下部アングル１２は、例えば、アルミ材を用いて形成することができるが、この材質に限られない。そして、その形状は、断面が「コ」の字の溝形状となっており、その溝に支持板１３，１４が挿嵌されるように構成されている。
【００１８】
また、上部アングル１１及び下部アングル１２には、支持板１３，１４が溝に挿嵌された後に、上部アングル１１及び下部アングル１２と支持板１３，１４とを、ボルト等の固定部材で固定するための連結孔１１１が設けられている。
【００１９】
更に、上部アングル１１及び下部アングル１２の中央部には、カメラユニット２を保持するための保持具１１２が配設されている。保持具１１２は、衝撃を緩和する材質で構成される。例えば、低反発性のゴム素材や、弾性体等である。
【００２０】
支持板１３，１４は、例えば、低発泡塩ビ板を用いて形成することができるが、この材質に限られない。そして、支持板１３，１４には、上部アングル１１及び下部アングル１２と連結するためのボルト等の固定部材が貫通する貫通溝（溝孔）１３１，１４１が形成されている。尚、貫通溝（溝孔）１３１，１４１は、後述するように、支持装置１の左右方向の長さを調整するアジャスタ機構の役割も果たす。
【００２１】
更に、支持板１３，１４の上側には、ネット４の白帯を固定している２本のロープのうち、上側の１本のロープを挟み込み、係止するための「Ｕ」の字形状の係止溝１３２，１４２が形成されている。尚、係止溝１３２，１４２は、後述するネット４の白帯綱紐の直径（太さ）よりも多少小さいもとなっている。尚、本実施の形態では、係止されたロープを容易に外すことができるように、切欠き形状のＵ字係止溝としたが、これに限られない。例えば、ロープを係止することができるならば、ロープを挿入することができる貫通孔でも良い。
【００２２】
支持装置１の組み立ては、上部アングル１１と下部アングル１２との間に、支持板１３と支持板１４とを挿嵌する。その後、上部アングル１１及び下部アングル１２の連結孔１１１からボルト等の固定部材を挿入し、その固定部材を貫通溝１３１，１４１に貫通させて固定する。図２は、上部アングル１１と、下部アングル１２と、支持板１３，１４とから構成された支持装置１を示す図である。図２では、支持装置１を正面から見た正面図と、支持装置１を上部アングル１１の方向から見た平面図と、支持装置１を支持板１４の方向から見た右側面図を示している。
【００２３】
カメラユニット２について説明する。
【００２４】
カメラユニット２は、カメラモジュール２１をカメラケース２２（筐体）内に収容することにより、構成される。カメラモジュール２１は、従来からあるカメラモジュールを用いることができる。カメラケース２２は、競技ボールなどの衝突の衝撃耐性、競技ボールなどの衝突による破損物の飛散防止を考慮し、PET樹脂（ポリエチレンテレフタレート）を使用している。
【００２５】
図３はカメラユニット２の概略斜視図であり、図４はカメラユニット２の断面図である。図４に示される如く、カメラモジュール２１には衝撃吸収材２３に包まれ、カメラケース２２に収容される。尚、衝撃吸収材２３の材質としては、３ＭのE-A-R（登録商標）カンファー（登録商標）等がある。
【００２６】
ここで、カメラモジュール２１は、カメラケース２２にネジ等で直接固定されておらず、カメラケース２２内で衝撃吸収材２３により把持されている点に留意すべきである。カメラケース２２には、ボール等が直撃した場合等、強い衝撃が加わる可能性がある。本実施の形態では、上述した通り、カメラモジュール２１は衝撃吸収材２３により把持されている状態なので、カメラケース２２に加わった衝撃がカメラモジュール２１に直接伝わらず、衝撃によるカメラモジュール２１の破損を防止している。
【００２７】
上記のように構成されたカメラユニット２は、支持装置１に装着される。図５は、支持装置１にカメラユニット２が装着された撮影装置３を示した図であり、図６は、撮影装置３の斜視図である。図５、図６に示されるように、カメラユニット２は、支持装置１の上下の保持具１１２により挟み込まれて挟持され、支持装置１に装着される。
【００２８】
このとき、カメラユニット２は支持装置１の上下の保持具１１２により挟み込まれて挟持される構成を取っているので、希望する撮影方向（アングル）でカメラユニット２を配置することができる。
【００２９】
次に、上述のように構成された撮影装置３のネット４の白帯内への装着方法について説明する。
【００３０】
図７は、撮影装置３が装着されるネット４の概略を示した図である。ネット４は、ネット４を支柱に固定するためのネット固定ワイヤー４０が内部に収容されている白帯４１と、網部４２とを備える。白帯４１には、ネット固定ワイヤー４０を包み込むため、前後部分を固定する上側の白帯綱紐４１１と、下側の白帯綱紐４１２とが縫いこまれている。
【００３１】
図８は、ネット４の白帯４１を拡大した図である。白帯４１には、上側の白帯綱紐４１１と、下側の白帯綱紐４１２とを通す縫い孔４１３が設けられており、白帯綱紐４１１と下側の白帯綱紐４１２とを縫い孔４１３に縫ってネット固定ワイヤー４０を包み込む。更に、白帯４１には、撮影装置３の装着位置に対応して、カメラユニット２のレンズが外部に出るように、レンズ孔４１４が設けられている。
【００３２】
次に、このようなネット４の白帯４１内に撮影装置３を装着する。図９、図１０は白帯４１内に撮影装置３を装着する装着方法を説明するための図である。尚、図９、図１０中において、上側の白帯綱紐４１１及び下側の白帯綱紐４１２は、黒塗で示している。
【００３３】
まず、白帯４１に撮影装置３を装着する位置を決定する。装着する位置は、図９に示す如く、一方の縫い孔４１３と係止溝１３２とが対応する位置であり、縫い孔４１３を一つ飛ばした他方の縫い孔４１３と係止溝１４２とが対応する位置であれば、いずれの位置でもかまわない。このとき、ネット４の種類によっては、縫い孔４１３の間隔が異なる場合があり、縫い孔４１３の間隔と係止溝１３２と係止溝１４２との間隔とが一致しない場合がある。
【００３４】
本実施の形態における支持装置１は、このような場合に備えて、支持装置１の左右方向の長さを調整することが出来るアジャスタ機構が付いている。このアジャスタ機構は、支持板１３，１４の貫通溝（溝孔）１３１，１４１により達成することができる。図１１は、支持装置１のアジャスタ機構を説明するための図である。図１１に示すように、貫通溝１３１，１４１は、支持装置１の長手方向に、一定の長さを持つ貫通溝（溝孔）であるため、縫い孔４１３の間隔に合わせて、支持板１３，１４を外側に引き出す長さを決定し、その位置で、上部アングル１１及び下部アングル１２の連結孔１１１にボルト等の固定部材を挿入し、それぞれの固定部材を貫通溝（溝孔）１３１，１４１に貫通させて固定する。これにより、ネット４の種類によって異なる白帯の縫い孔４１３の間隔に、支持装置１の長手方向の長さを調整することができる。
【００３５】
装着する位置が決定されると、その位置で撮影装置３が装着された場合、カメラユニット２のレンズが外部に出るように、白帯４１にレンズ孔４１４を設ける。このレンズ孔４１４により、カメラユニット２のレンズが外部に露出して外部の映像を撮影することができる。尚、以下の説明では、便宜的に、レンズ孔４１４が設けられた側の白帯４１を白帯４１の前側と記載し、レンズ孔４１４が設けられてない側の白帯４１を白帯４１の後側と記載する。
【００３６】
続いて、上側の白帯綱紐４１１と下側の白帯綱紐４１２とを緩め、装着する位置の下側から撮影装置３を内部に挿入する。
【００３７】
次に、白帯４１の前側の縫い孔４１３を通過して白帯４１の内側にある上側の白帯綱紐４１１を、支持装置１の係止溝１３２に嵌め込んで、撮影装置３を係止する。係止溝１３２にはめ込まれた白帯綱紐４１１は、白帯４１の後側の縫い孔４１３を通過し、再び白帯４１の後側の次の縫い孔４１３を通過して白帯４１の内側にあるが、この白帯綱紐４１１は支持装置１の係止溝に嵌め込まず、撮影装置３の中央付近の上部を通過させる。撮影装置３の中央付近の上部を通過した白帯綱紐４１１は、前側の縫い孔４１３を通過して白帯４１の外側に出ている。そして、白帯綱紐４１１は、再び白帯４１の前側の次の縫い孔４１３を通過して白帯４１の内側にある。
【００３８】
白帯４１の前側の縫い孔４１３を通過して白帯４１の内側にある白帯綱紐４１１を、支持装置１の係止溝１４２に嵌め込んで、撮影装置３を係止する。係止溝１４２にはめ込まれた白帯綱紐４１１は、白帯４１の後側の縫い孔４１３を通過している。
【００３９】
一方、下側の白帯綱紐４１２は、撮影装置３の下側を、通常の縫い目で通過している。
【００４０】
これにより、白帯４１内に撮影装置３が固定される。ここで留意すべきは、撮影装置３は白帯４１の上下２本の白帯綱紐４１１，４１２のうち、上側の白帯綱紐４１１のみによって係止される点である。特に、ネットを挟んで行われる競技では、ボール等がネット４に衝突し、ネット４が揺れる。このようなネット４の揺れは、撮影装置３にも揺れを与え、撮影する映像にブレが発生する可能性がある。
【００４１】
通常、ネットは、ネット固定ワイヤー４０の両端から引っ張られて（テンションが与えられて）張られる。このため、ネットの上部ほど張りが強く、揺れが少ない。本実施の形態における撮影装置３は、上側の白帯綱紐４１１のみを利用して撮影装置３が係止されているので、撮影装置３の揺れが少なく、また、揺れの収束も速い。更に、下側の白帯綱紐４１２は、撮影装置３の係止には利用していないので、ネットの下部から伝わる揺れに対しても影響を受けにくい。その結果、揺れの少ない映像を撮影することができる。
【００４２】
更に、上述したように、上側の白帯綱紐４１１のみを利用して撮影装置３が係止されているので、カメラユニット２のトラブル等の時であっても、図１２に示すように、下部アングル１２のみを取り外すことにより、上側の白帯綱紐４１１による撮影装置３の係止を解除して撮影装置３を白帯４１から外す必要が無く、カメラユニット２の取り付け位置の調整や、交換を行うことができ、トラブルの際に容易に撮影機材を交換できる。
【００４３】
尚、下部アングル１２と支持板１３，１４との連結は、ボルト等である必要はなく、例えば、下部アングル１２の連結孔１１１と支持板１３，１４の貫通溝（溝孔）１３１，１４１とに、結束バンドのような固定部材を通過させて固定させても良い。このようにすれば、結束バンドを切断するだけで、下部アングル１２を外すことができ、ボルト等で連結する場合に比べて早い時間で下部アングル１２を外すことができる。
【００４４】
＜第１の実施の形態の応用例＞
第１の実施の形態の応用例を説明する。
【００４５】
上述した実施の形態では、ネット４に一つの撮影装置３を装着する例を説明したが、これに限られない。1つのネットの任意の場所に同時に複数台を取り付けることできる。例えば、ネットのセンター、両サイド及び両面に取り付けることも可能である。このようにすることにより、種々の方向、角度からの映像が得られ、複数の撮影装置３から得られた映像のうち、所望の映像を選択することが可能となる。
【００４６】
また、撮影装置３にマイクを設けることもできる。カメラと同じ場所にマイクを取り付けることにより、選手に最も近い位置での収音が出来る。
【００４７】
以上好ましい実施の形態をあげて本発明を説明したが、全ての実施の形態の構成を備える必要はなく、適時組合せて実施することができるばかりでなく、本発明は必ずしも上記実施の形態に限定されるものではなく、その技術的思想の範囲内において様々に変形し実施することが出来る。
【符号の説明】
【００４８】
１      支持装置
２      カメラユニット
３      撮影装置
４      ネット
１１    上部アングル
１２    下部アングル
１３    支持板
１４    支持板
２１    カメラモジュール
２２    カメラケース
２３    衝撃吸収材
４０    ネット固定ワイヤー
４１    白帯
１１１  連結孔
１１２  保持具
１３１  貫通溝（溝孔）
１３２  係止溝
１４１  貫通溝（溝孔）
１４２  係止溝
【図１】
2019124863.tif 000003
【図２】
2019124863.tif 000004
【図３】
2019124863.tif 000005
【図４】
2019124863.tif 000006
【図５】
2019124863.tif 000007
【図６】
2019124863.tif 000008
【図７】
2019124863.tif 000009
【図８】
2019124863.tif 000010
【図９】
2019124863.tif 000011
【図１０】
2019124863.tif 000012
【図１１】
2019124863.tif 000013
【図１２】
2019124863.tif 000014